(57)【要約】【課題】低温時の消費電流を低減することができ、かつ高速回転用途にも十分使用可能な動圧軸受電動機を提供する。【解決手段】有底円筒状の支持軸２に対して有底円筒状の回転体３を外装し回転軸６を貫挿して、回転体３をその内周面と支持軸２の外周面とで構成されるラジアル軸受９で支承する動圧軸受電動機において、支持軸２の底部をスラストプレート１０とし、スラストプレート１０に対向する鍔状のスラストカラー７を回転軸６に設けて、スラストプレート１０の内外面とスラストカラー７，回転体３の対向面とによりスラスト軸受８を構成する。これにより、ラジアル軸受９とスラスト軸受８との高い直角度精度を確保することがで、スラスト軸受８の外径を大きくして、各軸受に気体を潤滑流体として用いることが可能になる。スラスト軸受８の精度向上に伴なって、起動電流の低減と耐荷重性の向上を図ることができ、低温時の消費電流を低減すること、高速回転に十分に対応することが可能になる。【選択図】　図１
2004032825.tif 000002
【特許請求の範囲】
【請求項１】
取付基台に有底円筒状の支持軸を立設し、前記支持軸に貫挿される回転軸を有し前記支持軸の外面との間に隙間を持って勘合する有底円筒状の回転体を、前記支持軸により構成される動圧軸受によって支承し、前記支持軸内にステータコイル群を設け、これらのステータコイル群に対向するロータマグネットを前記支持軸内の回転軸に設けた動圧軸受電動機であって、
前記動圧軸受は、
前記支持軸の外周面と前記回転体の内周面とによりラジアル軸受を構成し、
前記支持軸の底部を軸心方向と直交するスラストプレートで形成し、このスラストプレートに対向する鍔状のスラストカラーを前記回転軸に設けて、前記スラストプレートの内外面とその各面に対向するスラストカラーおよび回転体の対向面とによりスラスト軸受を構成し、
各軸受の隙間の気体を潤滑流体とした
ことを特徴とする動圧軸受電動機。
【請求項２】
ラジアル軸受を構成する回転体の内周面と支持軸の外周面のいずれか一方に動圧発生溝を形成し、スラスト軸受を構成するスラストプレートの内面とスラストカラーの対向面のいずれか一方、および、スラストプレートの外面と回転体の対向面のいずれか一方に動圧発生溝を形成したことを特徴とする請求項１記載の動圧軸受電動機。
【請求項３】
回転軸とスラストカラーとを別部材により構成したことを特徴とする請求項１または請求項２のいずれかに記載の動圧軸受電動機。
【請求項４】
スラストカラーの外径が支持軸の円筒部分の最小径より小さいことを特徴とする請求項１または請求項２のいずれかに記載の動圧軸受電動機。
【請求項５】
取付基台に軸固定用穴を設け、この軸固定穴内に支持軸の端部を圧入または接着により固定したことを特徴とする請求項１〜請求項４のいずれかに記載の動圧軸受電動機。
【請求項６】
取付基台の材料が支持軸の材料よりも線膨張係数が大きいことを特徴とする請求項５に記載された動圧軸受電動機。
【請求項７】
取付基台の材料がアルミ系材料であり、支持軸の材料が鉄系材料であることを特徴とする請求項５記載の動圧軸受電動機。
【請求項８】
有底円筒状の支持軸は、スラストプレートをなす底部と円筒部とを別部材により構成したことを特徴とする請求項１〜請求項４のいずれかに記載の動圧軸受電動機。
【請求項９】
スラストプレートの内面及び外面に動圧発生溝を形成したことを特徴とする請求項８記載の動圧軸受電動機。
【請求項１０】
スラストプレートの内面及び外面の動圧発生溝をエッチング処理により形成したことを特徴とする請求項８記載の動圧軸受電動機。
【請求項１１】
回転軸はスラストカラーが端部に配置される長さに設定し、この回転軸の端部にロータマグネットを同軸状に設けたことを特徴とする請求項１〜請求項４のいずれかに記載の動圧軸受電動機。
【請求項１２】
回転軸とロータマグネットとをそれぞれの端面に形成した互いに勘合する凹凸部で固定して一体化したことを特徴とする請求項１１に記載の動圧軸受電動機。
【請求項１３】
回転軸とロータマグネットとを一体に形成し、リング状のスラストカラーを取り付けるための段部を設けたことを特徴とする請求項１１に記載の動圧軸受電動機。
【発明の詳細な説明】
【０００１】
【発明の属する技術分野】
本発明は、小形モータなどの軸受に係り、特にＨＤＤ（ハードディスクドライブ）装置などのようにラジアル及びスラスト方向の位置決め精度を必要とする精密回転用モータに好適な軸受に関するものである。
【０００２】
【従来の技術】
ＨＤＤ装置などに用いられる小形モータ、いわゆるスピンドルモータは、情報の読み書きや呼び出しに関わるため、高精度の回転が要求される。特に最近では、記録の高密度化の要求から、ラジアル方向とスラスト方向の位置決めに対して厳しい精度が必要とされており、さらに、装置の小型化に伴う省エネルギー化の要求から、モータの消費電流の低減化が重視されている。
【０００３】
この種のモータの軸受にはボールベアリングが多用されてきたが、上記した高精度の回転要求により、潤滑油を用いたオイル動圧型のすべり軸受に置き換えられつつある。しかし、オイル動圧型の軸受はオイルの特性に影響されることが多く、特に低温時の消費電流の増加、高速回転時のオイル漏れ、オイル劣化の影響が危惧されるため、気体を潤滑流体とする動圧型軸受が提案され、それへの期待が高まっている。
【０００４】
消費電流の低下と油漏れの回避のために気体軸受を用いた動圧軸受電動機は、特開平１１−２７５８０７号公報に開示されている。この動圧軸受電動機は概ね、図２０に示すようなものであり、取付基台１に立設した円筒状支持軸２と、この円筒状支持軸２に外装した有底円筒形のモータ回転体３とを具備し、円筒状支持軸２の内周にステータコイル４群を設け、これらのステータコイル４に対向するロータマグネット５を、前記円筒状支持軸２に挿通されたモータ回転体３の円柱状回転軸６の外周に設けている。
【０００５】
モータ回転体３は、円柱状回転軸６の端部に鍔状に設けたスラストカラー７の表裏面と、その各面に対向する部材の対向面とで構成されるスラストオイル軸受８により支持し、モータ回転体３の内周面と円筒状支持軸２の外周面とで構成されるラジアル気体軸受９により支持しており、それにより、ステータコイル４への通電により精密回転可能としている。
【０００６】
【発明が解決しようとする課題】
しかしながら、上記した動圧軸受電動機でも、スラスト軸受がオイル動圧軸受８であるため、低温時の消費電流の増加や高速回転時のオイルの劣化などの問題が依然として存在する。そこで、スラスト軸受に用いる潤滑流体もオイルから気体に変更することが考えられるが、オイルの粘性に比べて気体の粘性が非常に小さいため、スラスト軸受面積を大きく取る必要があり、スラストカラー７の外径を大きくする必要がある。
【０００７】
しかしスラストカラー７が大きくなると、スラストカラー７を円柱状回転軸６の端部、すなわち取付基台１の近傍に配置する上記した構成では、スラストカラー７のモータ回転体３からの距離が離れてしまい、ラジアル軸受とスラスト軸受との直角度精度を出すことが非常に困難である。そして、ラジアル軸受とスラスト軸受の直角度精度が悪いと、ラジアル軸受またはスラスト軸受が片当たりしてしまい、起動トルクの増加や摩耗の増加を生じ、軸受寿命が短くなるという問題があった。
【０００８】
またスラストカラー７が大きくなると、円筒状支持軸２内のステータコイル４の下部領域の全体を占めるようになるため、ステータコイル４のワイヤを円筒状支持軸２の側面から引き出さざるをえず、線処理が複雑になると同時に、円筒状支持軸２にコイル引き出しのための切り欠き等を作る必要が生じ、円筒度や真円度などの精度確保が難しくなるという問題があった。
【０００９】
本発明は上記問題点を解決するもので、低温時の消費電流を低減することができ、かつ高速回転用途にも十分使用可能な動圧軸受電動機を提供することを目的とする。
【００１０】
【課題を解決するための手段】
上記課題を解決するために、請求項１に記載の発明は、取付基台に有底円筒状の支持軸を立設し、前記支持軸に貫挿される回転軸を有し前記支持軸の外面との間に隙間を持って勘合する有底円筒状の回転体を、前記支持軸により構成される動圧軸受によって支承し、前記支持軸内にステータコイル群を設け、これらのステータコイル群に対向するロータマグネットを前記支持軸内の回転軸に設けた動圧軸受電動機であって、前記動圧軸受は、前記支持軸の外周面と前記回転体の内周面とによりラジアル軸受を構成し、前記支持軸の底部を軸心方向と直交するスラストプレートで形成し、このスラストプレートに対向する鍔状のスラストカラーを前記回転軸に設けて、前記スラストプレートの内外面とその各面に対向するスラストカラーおよび回転体の対向面とによりスラスト軸受を構成し、各軸受の隙間の気体を潤滑流体としたことを特徴とする。
【００１１】
この構成によると、スラストカラーは、スラストプレートの近傍の回転軸、つまり回転体への取付部の近傍の回転軸に設けられるため、スラスト軸受の外径を大きくしても、ラジアル軸受とスラスト軸受の高い直角度精度を確保することができ、上記したようにラジアル軸受，スラスト軸受ともに空気などの気体を潤滑流体とする動圧軸受が可能になる。その結果、低温時の消費電流を低減できるとともに、高速回転にも十分使用可能な動圧軸受電動機を実現できる。
【００１２】
請求項２に記載の発明は、請求項１に記載された動圧軸受電動機において、ラジアル軸受を構成する回転体の内周面と支持軸の外周面のいずれか一方に動圧発生溝を形成し、スラスト軸受を構成するスラストプレートの内面とスラストカラーの対向面のいずれか一方、および、スラストプレートの外面と回転体の対向面のいずれか一方に動圧発生溝を形成したことを特徴とする。
【００１３】
この構成によると、回転体が回転する際に、ラジアル軸受およびスラスト軸受のそれぞれで、動圧発生溝の作用により潤滑流体が有効に集められて動圧が高まり、高い軸受剛性を持って回転体を支承することができる。よって、高い回転精度を達成できる。
【００１４】
請求項３に記載の発明は、請求項１または請求項２のいずれかに記載された動圧軸受電動機において、回転軸とスラストカラーとを別部材により構成したことを特徴とする。
【００１５】
この構成によると、組立ての際に、有底円筒状の支持軸に対して回転体を外装した後に、支持軸の開放端側よりスラストカラーを挿入して回転軸に固定することができ、組立て作業が容易である。
【００１６】
請求項４に記載の発明は、請求項１または請求項２のいずれかに記載された動圧軸受電動機において、スラストカラーの外径が支持軸の円筒部分の最小径より小さいことを特徴とする。
【００１７】
この構成によると、円筒部分にステータコイル位置決め用の段部などを設けた場合も、支持軸の開放端側よりスラストカラーと一体である回転軸を挿入して回転体に固定することができ、組立て作業が容易である。
【００１８】
請求項５に記載の発明は、請求項１〜請求項４のいずれかに記載された動圧軸受電動機において、取付基台に軸固定用穴を設け、この軸固定穴内に支持軸の端部を圧入または接着により固定したことを特徴とする。
【００１９】
この構成によると、支持軸と取付基台とに互いに線膨張係数の異なる材料を用いた場合も、いかなる温度条件で使用しても、取付基台が原因となって支持軸の径方向外方への変形が生じてラジアル軸受の隙間が小さくなることはなく、ラジアル軸受のロックを防止できる。よって、広範囲な温度条件で使用できる動圧軸受電動機を実現できる。
【００２０】
請求項６に記載の発明は、請求項５に記載された動圧軸受電動機において、取付基台の材料が支持軸の材料よりも線膨張係数が大きいことを特徴とする。
この構成によると、温度変化により取付基台の軸固定穴の径が変化した時も、支持軸を押し広げる方向に力が働くことはないので、支持軸の径方向外方への変形が生じてラジアル軸受の隙間が小さくなることはない。
【００２１】
請求項７に記載の発明は、請求項５に記載された動圧軸受電動機において、取付基台の材料がアルミ系材料であり、支持軸の材料が鉄系材料であることを特徴とする。
【００２２】
この構成によると、電動機本体を構成する支持軸をステンレス等の鉄系材料で構成し、この支持軸をアルミ系材料からなる取付基台、たとえば一般にアルミ材料で構成されるＨＤＤケースに直接に取り付けた場合に、温度変化により取付基台の軸固定穴の径が変化した時も、支持軸を押し広げる方向に力が働くことはないので、支持軸の径方向外方への変形が生じてラジアル軸受の隙間が小さくなることはない。
【００２３】
請求項８に記載の発明は、請求項１〜請求項４のいずれかに記載された動圧軸受電動機において、有底円筒状の支持軸は、スラストプレートをなす底部と円筒部とを別部材により構成したことを特徴とする。
【００２４】
この構成によると、独立部材たる平板状のスラストプレートは、平面度精度を容易に向上させることができるので、高精度で安価な動圧軸受電動機を実現できる。
【００２５】
請求項９に記載の発明は、請求項８に記載された動圧軸受電動機において、スラストプレートの内面及び外面に動圧発生溝を形成したことを特徴とする。
この構成によると、独立部材たる平板状のスラストプレートは、動圧発生溝の形成、さらには表面処理することが容易であるため、このようにスラストプレートの両面に動圧発生溝を形成することで回転体やスラストカラーへの動圧発生溝の形成を不要とすることができ、このことによっても、高精度で安価な動圧軸受電動機を実現できる。
【００２６】
請求項１０に記載の発明は、請求項８に記載された動圧軸受電動機において、スラストプレートの内面及び外面の動圧発生溝をエッチング処理により形成したことを特徴とする。
【００２７】
この構成によると、独立部材たる平板状のスラストプレートは、エッチング処理が可能であるため、最適な深さの動圧発生溝を形成することができ、このことによっても、高精度で安価な動圧軸受電動機を実現できる。
【００２８】
請求項１１に記載の発明は、請求項１〜請求項４のいずれかに記載された動圧軸受電動機において、回転軸はスラストカラーが端部に配置される長さに設定し、この回転軸の端部にロータマグネットを同軸状に設けたことを特徴とする。
【００２９】
この構成によると、ロータマグネットを回転軸の外周に取り付ける場合に比べて、それぞれの加工が容易である。また、スラストカラーを一体に形成する際の切削代を省くことができ、スラストカラーの加工も容易に精度よく行なえる。よって、高精度で安価な動圧軸受電動機を実現できる。
【００３０】
請求項１２に記載の発明は、請求項１１に記載された動圧軸受電動機において、回転軸とロータマグネットとをそれぞれの端面に形成した互いに勘合する凹凸部で固定して一体化したことを特徴とする。
【００３１】
この構成によると、ロータマグネットの偏心を抑えることができる。
請求項１３に記載の発明は、請求項１１に記載された動圧軸受電動機において、回転軸とロータマグネットとを一体に形成し、リング状のスラストカラーを取り付けるための段部を設けたことを特徴とする。
【００３２】
この構成によると、リング状のスラストカラーを用いる場合の部品点数を抑えることができ、スラストカラーを段部で位置決めできることもあって、組立て容易である。
【００３３】
【発明の実施の形態】
以下、本発明の実施の形態について図面を用いて説明する。
図１に示す動圧軸受電動機は、先に図２０を用いて説明した従来の動圧軸受電動機とほぼ同様の構成を有しており、取付基台１に円筒状の支持軸２を立設し、この支持軸２に、その外面との間に隙間を持って勘合する有底円筒状のモータ回転体３（以下、回転体３という）を回転自在に支承している。また、支持軸２の内周に複数のステータコイル４を設け、これらのステータコイル４に対向するロータマグネット５を、支持軸２内に貫挿された回転体３の円柱状回転軸６（以下、回転軸６という）の外周に設けて、モータ駆動部を構成している。ここで、ステータコイル４は支持軸２の内周に直接に設けるのでなく、支持軸２内であれば取付基台１に設けてもよい。
【００３４】
支持軸２は、取付基台１にリング状に形成した軸固定用リブ１ａの外周に開口端部を圧入（挿入接着でもよい、以下同様）することで固定している。回転体３は、中央の貫通穴３ａに回転軸６の端部を圧入することで固定していて、この回転軸６を支持軸２に貫挿し、支持軸２により構成されるスラスト軸受８とラジアル軸受９とにより動圧軸受しており、それにより精密回転可能としている。
【００３５】
ラジアル軸受９は、ラジアル方向において互いに対向する回転体３の内周面と支持軸２の外周面とで所定の隙間が形成され、この隙間に満たされる空気等の気体により潤滑されるようになっている。
【００３６】
スラスト軸受８は、従来のものと相違している。上記した円筒状の支持軸２は、軸心と直交する方向のスラストプレート１０を底部とする有底円筒状に構成されている。そして、このスラストプレート１０に形成された中央穴１０ａへの貫挿部位とロータマグネット５の取付部位との間の回転軸６に鍔状のスラストカラー７が設けられている。そしてそれにより、スラスト方向において互いに対向する回転体３の下面とスラストプレート１０の上面、及びスラストプレート１０の下面とスラストカラー７の上面とで、それぞれ所定の隙間が形成され、各隙間に満たされる空気等の気体により潤滑されるようになっている。
【００３７】
また、図２〜図４に示すように、ラジアル軸受９を構成する支持軸２の外周面に１段のハの字形の動圧発生溝１１ａが形成されるとともに、メインスラスト軸受を構成するスラストプレート１０の上面にヘリングボーン状の動圧発生溝１２ａが形成されている。また、図４の支持軸２のＢ−Ｂ断面である図５に示すように、サブスラスト軸受を構成するスラストプレート１０の下面にヘリングボーン状の動圧発生溝１２ｂが形成されている。
【００３８】
ここで、ヘリングボーン状は「く（あるいはＶ）」の字形の溝形状を言い、スパイラル状は、ラジアル軸受部であれば、円筒面に形成され軸方向に対して傾斜した溝形状を、スラスト軸受部であれば、円板平面に形成された円弧形の溝形状を言い、「ハ」の字形は、互いに逆方向に傾斜したスパイラル状の溝で、互いの間に平滑部を有する溝形状を言う。
【００３９】
このような構成により、各ステータコイル４に整流された電流が供給されると、ロータマグネット５とステータコイル４との間に電磁力が発生して、回転体３が回転軸６の軸心廻りに回転し、それに伴いラジアル軸受９及びスラスト軸受８で動圧発生溝１１（１１ａ），１２（１２ａ，１２ｂ）により気体が圧送されて、回転方向に沿って等間隔で並んだ「く」の字形の折曲部，「ハ」の字形の内側で内部圧力が高くなり、回転体３は支持軸２に非接触で高精度に支持される。
【００４０】
この動圧軸受電動機は、上記したように回転体３とステータコイル４との間にスラストプレート１０，スラストカラー７を配してスラスト軸受８を構成するようにしたため、回転体３とスラストカラー７との間の距離を小さくすることができ、それにより支持軸２と回転体３との直角度精度を上げることが可能になっている。
【００４１】
また、スラストカラー７が各ステータコイル４からの線処理を邪魔することがないので、つまり各ステータコイル４からの線は図１に示すように取付基台１に線処理穴１ｂを形成して処理できるので、従来のようにコイル線処理用に支持軸２に切り欠き等を形成する必要がなく、支持軸２の真円度および円筒度の精度を向上できる。
【００４２】
なお、動圧発生溝１１，１２の位置や形状は上記したものに限定されない。ラジアル軸受９においては、回転体３の内周面と支持軸２の外周面とのいずれか一方に形成される。図６に示すように２段のヘリングボーン状動圧発生溝１１ｂを形成してもよいし、図７に示すように回転体３の内周面にハの字形の動圧発生溝１１ｃを形成してもよく、あるいはヘリングボーン状の動圧発生溝を形成してもよい。スラスト軸受８においては、回転体３の下面とスラストプレート１０の上面とのいずれか一方、および、スラストプレート１０の下面とスラストカラー７の上面とのいずれか一方に形成される。図８に示すように回転体３の下面にヘリングボーン状の動圧発生溝１２ｃを形成してもよい。
【００４３】
ラジアル軸受９およびスラスト軸受８を構成する一方あるいは両方の対向面に、メッキ、ＤＬＣ（ダイヤモンドライクカーボン）、イオン窒化等の表面処理を施すことにより、耐摩耗性と摩擦係数低減を図ることもできる。
【００４４】
図９に示すように、回転軸６にディスククランプ用のネジ穴６ａを設けておくことで、回転体３との間にハードディスクを挟持するクランパ（図示せず）を容易に取り付け可能となる。
【００４５】
図１０に示すように、回転軸６に対してリング状かつ平板状のスラストカラー７Ａを取付けてもよい。これにより、上記したようなスラストカラー７と回転軸６との一体物を加工する場合に比べて、切削代を省くことができ、加工時間および材料費を削減できる。また平板状のスラストカラー７Ａは平面研削加工を行えるので、平面度精度を向上できる。組立ての際には、スラストカラー７は支持軸２より径が小さいので、回転体３に一体化された回転軸６を支持軸２に貫挿した後に、支持軸２の開放端側からスラストカラー７Ａを挿入して回転軸６に固定することができ、組立て作業が容易である。
【００４６】
取付基台１にアルミ材のような線膨張係数の大きい材料を用い、支持軸２に取付基台１よりも線膨張係数の小さい鉄系材料などを用いる場合には、図１１に示すように、取付基台１に軸固定用凹部１ｃを形成し、この凹部１ｃ内に支持軸２を圧入によって固定するようにしてもよい。
【００４７】
この構成によれば、取付基台１が大きく線膨張しても、それにより支持軸２が径方向外方に変形して回転体３とのラジアル軸受隙間が小さくなることはない。よって、ラジアル軸受９のロックを防止でき、広範囲な温度条件で使用可能となる。
【００４８】
図１２に示すように、リング状の軸固定用リブ１ｄを取付基台１に設け、このリブ内１ｄ内に支持軸２を圧入によって固定しても、上記と同様の効果が得られる。
【００４９】
図１３に示すように、リング状の軸固定用リブ１３ａを有するモータベース１３を支持軸２とほぼ同等の線膨張係数を有する材料で形成し、このモータベース１３を取付基台１に形成したモータベース固定用貫通穴１ｅに勘合させ、支持軸２をモータベース１３の軸固定用リブ１３ａの外周に圧装することで固定するようにしてもよい。線処理穴１３ｂはモータベース１３に形成する。
【００５０】
この構成によれば、取付基台１が大きく線膨張してもその影響はモータベース１３に及ぶのみであり、いかなる温度条件で使用しても、取付基台１により支持軸２が径方向外方に変形して回転体３とのラジアル軸受隙間が小さくなることはない。
【００５１】
図１４に示す動圧軸受電動機では、有底円筒状の支持軸２をスラストプレート１０Ａと円筒部１４との２部材で構成している。円筒部１４には端部内周にスラストプレート１０Ａの外径に見合う段部１４ａを形成し、この段部１４ａにスラストプレート１０の外周縁部を圧入することにより固定している。段部１４ａの高さはスラストプレート１０Ａの厚さより低くしている。これにより、スラスト軸受８を、スラストプレート１０Ａ上面単体と回転体３の下面で構成することができるので、支持軸２上面（円筒部１４の上端面とスラストプレート１０Ａの上面）一体での平面度精度を確保する必要がなくなる。
【００５２】
スラストプレート１０Ａの上面に、図１５に示すようなヘリングボーン状の動圧発生溝１２ｃを形成し、スラストプレート１０Ａの下面に図１６に示すようなヘリングボーン状の動圧発生溝１２ｄを形成している。
【００５３】
スラストプレート１０Ａと円筒部１４とを別部材にすることにより、スラストプレート１０の加工の際に平面研削を行うことが可能になり、平面度精度が向上する。動圧発生溝１２ｃ，１２ｄを形成する際も、プレス鍛造の一種であるコイニング、化学的加工であるエッチング、切削加工であるピエゾ加工等などが可能であり、メッキ、ＤＬＣ（ダイヤモンドライクカーボン）、イオン窒化等の表面処理を施すことも容易に行なうことができる。よって、耐摩耗性と摩擦係数低減を図って、高精度で安価な動圧軸受電動機を実現できる。
【００５４】
図１７に示す動圧軸受電動機は、回転軸６が、スラストカラー７が端部に配置される長さに設定され、この回転軸６の端部にロータマグネット５が同軸状に設けられている。
【００５５】
回転軸６，ロータマグネット５はともに円柱状に形成され、回転軸６の下端面とロータマグネット５の上端面とに互いに勘合する凸部５ａ，凹部６ｂが形成されていて、凸部５ａを凹部６ｂに圧入することで互いに固定され一体化されている。
【００５６】
この構成によると、ロータマグネット５を回転軸６の外周に取り付ける場合に比べて、それぞれの加工を容易に精度よく行なうことができる。また回転軸６の寸法が短いため、スラストカラー７を一体に形成する際の切削代を低減することができる。さらに、凹凸部５ａ，６ｂを備えることでロータマグネット５の偏心を抑えることができる。よって、加工時間および材料費を削減し、高精度で安価な動圧軸受電動機を実現できる。ただし、円柱状の回転軸６，ロータマグネット５を互いの端面で直接に接着固定することも可能である。
【００５７】
図１８に示すように、回転軸とロータマグネットとを一体化物１５として形成し、リング状のスラストカラー７Ａを取り付けるようにしてもよい。
この構成によると、スラストカラー７Ａを別部材とする際の部品点数を抑えることができ、組立てが容易である。図示したようにスラストカラー７Ａの内周縁部を載置可能な段部１５ａを一体化物１５に形成しておけば、スラストカラー７Ａを容易に位置決めして確実に取り付けることができる。
【００５８】
図１９に示すように、回転体３に、回転軸とロータマグネットとの一体化物１５の端部を嵌入固定するための凹部６ｃを形成するようにしてもよい。
【００５９】
【発明の効果】
以上のように本発明によれば、有底円筒状の支持軸に対して有底円筒状の回転体を外装し回転軸を貫挿して、回転体をその内周面と支持軸の外周面とで構成されるラジアル軸受で支承する動圧軸受電動機において、支持軸の底部をスラストプレートとし、このスラストプレートに対向する鍔状のスラストカラーを前記回転軸に設けて、前記スラストプレートの内外面とその各面に対向するスラストカラーおよび回転体の対向面とによりスラスト軸受を構成する。このようにすることにより、スラスト軸受の外径に関わらずラジアル軸受とスラスト軸受との高い直角度精度を確保することが可能になり、スラスト軸受の外径を大きくして、ラジアル軸受及びスラスト軸受に気体を潤滑流体として用いることが可能になる。スラスト軸受８の精度向上に伴なって、起動電流の低減と耐荷重性の向上を図ることができ、低温時の消費電流を低減すること、高速回転に十分に対応することが可能になる。
【図面の簡単な説明】
【図１】本発明の一実施形態における動圧軸受電動機の断面図
【図２】図１の動圧軸受電動機を構成する支持軸の斜視図
【図３】図２の支持軸の上面図
【図４】図２の支持軸の側面図
【図５】図２の支持軸の図４におけるＢ−Ｂ断面図
【図６】図１の動圧軸受電動機に配置可能な他の支持軸の側面図
【図７】図１の動圧軸受電動機に配置可能な他の回転体の断面図
【図８】図１の動圧軸受電動機に配置可能な他の回転体の底部内面図
【図９】図１の動圧軸受電動機と同様の構成を有する他の動圧軸受電動機の断面図
【図１０】図１の動圧軸受電動機と同様の構成を有する他の動圧軸受電動機の断面図
【図１１】図１の動圧軸受電動機と同様の構成を有する他の動圧軸受電動機の断面図
【図１２】図１の動圧軸受電動機と同様の構成を有する他の動圧軸受電動機の断面図
【図１３】図１の動圧軸受電動機と同様の構成を有する他の動圧軸受電動機の断面図
【図１４】図１の動圧軸受電動機と同様の構成を有する他の動圧軸受電動機の断面図
【図１５】図１４の動圧軸受電動機を構成するスラストプレートの上面図
【図１６】図１４の動圧軸受電動機を構成するスラストプレートの下面図
【図１７】図１の動圧軸受電動機と同様の構成を有する他の動圧軸受電動機の断面図
【図１８】図１の動圧軸受電動機と同様の構成を有する他の動圧軸受電動機の断面図
【図１９】図１の動圧軸受電動機と同様の構成を有する他の動圧軸受電動機の断面図
【図２０】従来の動圧軸受電動機の断面図
【符号の説明】
１　　　取付基台
２　　　支持軸
３　　　回転体
４　　　ステータコイル
５　　　ロータマグネット
６　　　回転軸
７　　　スラストカラー
８　　　スラスト軸受
９　　　ラジアル軸受
１０　　　スラストプレート
１１，　１２　動圧発生溝
１４　　　円筒部
１５　　　一体化物
１５ａ　　段部
【図１】
2004032825.tif 000003
【図２】
2004032825.tif 000004
【図３】
2004032825.tif 000005
【図４】
2004032825.tif 000006
【図５】
2004032825.tif 000007
【図６】
2004032825.tif 000008
【図７】
2004032825.tif 000009
【図８】
2004032825.tif 000010
【図９】
2004032825.tif 000011
【図１０】
2004032825.tif 000012
【図１１】
2004032825.tif 000013
【図１２】
2004032825.tif 000014
【図１３】
2004032825.tif 000015
【図１４】
2004032825.tif 000016
【図１５】
2004032825.tif 000017
【図１６】
2004032825.tif 000018
【図１７】
2004032825.tif 000019
【図１８】
2004032825.tif 000020
【図１９】
2004032825.tif 000021
【図２０】
2004032825.tif 000022